(57)【要約】【課題】熱による基板への応力の負荷を抑えつつ、直管ケースの全長を短縮することができる直管型ＬＥＤランプの基板押え構造を提供すること。【解決手段】長手方向に複数のＬＥＤを実装して成る基板３を筒状の直管ケース４内に収容して成る直管型ＬＥＤランプ１の前記基板３の長手方向両端を押える基板押え構造として、前記基板３の長手方向端面を受けるストッパ５Ａが形成された基板押え部材５を前記直管ケース４の長手方向両端部外周に嵌合し、該基板押え部材５の内周に突設されたリブ５ｂを前記直管ケース４の長手方向両端部外周に形成された係合溝４ｂに係合させ、該リブ５ｂが前記係合溝４ｂ内で移動し得る範囲で前記基板押え部材５が前記直管ケース４に対して長手方向に移動可能とする構成を採用する。【選択図】図３
2014137983.tif 000002
【特許請求の範囲】
【請求項１】
長手方向に複数のＬＥＤを実装して成る基板を筒状の直管ケース内に収容して成る直管型ＬＥＤランプの前記基板の長手方向両端を押える基板押え構造であって、
前記基板の長手方向端面を受けるストッパが形成された基板押え部材を前記直管ケースの長手方向両端部外周に嵌合し、該基板押え部材の内周に突設されたリブを前記直管ケースの長手方向両端部外周に形成された係合溝に係合させ、該リブが前記係合溝内で移動し得る範囲で前記基板押え部材が前記直管ケースに対して長手方向に移動可能としたことを特徴とする直管型ＬＥＤランプの基板押え構造。
【請求項２】
前記直管ケースを非円筒とし、該直管ケースの内周の相対向する位置に前記基板の幅方向両端部を係合保持するための係合部を長手方向に沿って形成したことを特徴とする請求項１記載の直管型ＬＥＤランプの基板押え構造。
【発明の詳細な説明】
【技術分野】
【０００１】
本発明は、長手方向に複数のＬＥＤを実装して成る基板を筒状の直管ケース内に収容して成る直管型ＬＥＤランプの前記基板の長手方向両端を押える基板押え構造に関するものである。
【背景技術】
【０００２】
近年、照明装置として高輝度で高寿命のＬＥＤ（発光ダイオード）を光源とするＬＥＤランプが従来の蛍光灯に代えて使用されるようになってきている（例えば、特許文献１参照）。ここで、直管型ＬＥＤランプの従来の基板押え構造を図８に示す。
【０００３】
即ち、図８は従来の基板押え構造を示す直管型ＬＥＤランプの部分断面図であり、図示の直管型ＬＥＤランプ１０１においては、長手方向に複数のＬＥＤ１０２が適当な間隔で実装された基板１０３が押出成形された筒状の直管ケース１０４内に収容されており、直管ケース１０４の長手方向両端部（図８には一方のみ図示）は、間に基板押え部材（グロメット）１０５を介してキャップ１０７によって封止されている。ここで、基板押え部材１０５とキャップ１０７はネジ等によって直管ケース１０４に固定されている。
【先行技術文献】
【特許文献】
【０００４】
【特許文献１】特開２０１２−１４２４０６号公報
【発明の概要】
【発明が解決しようとする課題】
【０００５】
ところで、図８に示す直管型ＬＥＤランプ１０１においては、基板１０３と直管ケース１０４の熱膨張率は互いに異なっているため、基板１０３と基板押え部材１０５との隙間δは、基板１０３と直管ケース１０４の熱による伸縮を考慮して最適な値に設定する必要がある。又、前述のように基板押え部材１０５とキャップ１０７はネジ等によって直管ケース１０４に固定されているため、直管ケース１０４の全長は熱収縮を考慮して設定する必要があり、結果的に直管ケース１０４の全長が必要以上に長くなるという問題があった。
【０００６】
本発明は上記問題に鑑みてなされたもので、その目的とする処は、熱による基板への応力の負荷を抑えつつ、直管ケースの全長を短縮することができる直管型ＬＥＤランプの基板押え構造を提供することにある。
【課題を解決するための手段】
【０００７】
上記目的を達成するため、請求項１記載の発明は、長手方向に複数のＬＥＤを実装して成る基板を筒状の直管ケース内に収容して成る直管型ＬＥＤランプの前記基板の長手方向両端を押える基板押え構造であって、前記基板の長手方向端面を受けるストッパが形成された基板押え部材を前記直管ケースの長手方向両端部外周に嵌合し、該基板押え部材の内周に突設されたリブを前記直管ケースの長手方向両端部外周に形成された係合溝に係合させ、該リブが前記係合溝内で移動し得る範囲で前記基板押え部材が前記直管ケースに対して長手方向に移動可能としたことを特徴とする。
【０００８】
請求項２記載の発明は、請求項１記載の発明において、前記直管ケースを非円筒とし、該直管ケースの内周の相対向する位置に前記基板の幅方向両端部を係合保持するための係合部を長手方向に沿って形成したことを特徴とする。
【発明の効果】
【０００９】
請求項１記載の発明によれば、基板押え部材はこれに突設されたリブが直管ケースの外周に形成された係合溝内で移動し得る範囲で直管ケースに対して長手方向に移動可能であるため、例えば直管ケースが収縮して基板が基板押え部材のストッパに当接した後は、直管ケースの熱収縮は、基板押え部材の直管ケースに対する相対移動によって吸収され、基板に熱による応力が掛かることがない。このように直管ケースの熱収縮は基板押え部材の相対移動によって吸収されるため、従来のように基板押え部材と基板との間に大きな隙間を設けたり、直管ケースを必要以上に長くする必要がなく、熱による基板への応力の負荷を抑えつつ、直管ケースの全長を短縮することができる。
【００１０】
請求項２記載の発明によれば、専用の保持部材を要することなく、基板を直管ケースの係合部に係合させることによってこれを直管ケース内に保持することができ、部品点数を削減して軽量化とコストダウンを図ることができる。
【図面の簡単な説明】
【００１１】
【図１】本発明に係る基板押え構造を備える直管型ＬＥＤランプの正面図である。
【図２】本発明に係る基板押え構造を備える直管型ＬＥＤランプの側面図である。
【図３】図２のＡ−Ａ線断面図である。
【図４】図１のＢ−Ｂ線断面図である。
【図５】本発明に係る基板押え構造を備える直管型ＬＥＤランプ端部の斜視図である。
【図６】本発明に係る基板押え構造を備える直管型ＬＥＤランプ端部の分解斜視図である。
【図７】本発明に係る基板押え構造を備える直管型ＬＥＤランプ端部の分解斜視図である。
【図８】従来の基板押え構造を示す直管型ＬＥＤランプの部分断面図である。
【発明を実施するための形態】
【００１２】
以下に本発明の実施の形態を添付図面に基づいて説明する。
【００１３】
図１は本発明に係る基板押え構造を備える直管型ＬＥＤランプの正面図、図２は同直管型ＬＥＤランプの側面図、図３は図２のＡ−Ａ線断面図、図４は図１のＢ−Ｂ線断面図、図５は同直管型ＬＥＤランプ端部の斜視図、図６及び図７は同直管型ＬＥＤランプ端部の分解斜視図である。
【００１４】
図示の直管型ＬＥＤランプ１においては、長手方向に複数のＬＥＤ（不図示）が適当な間隔で実装された基板３が筒状の直管ケース４内に収容されており、直管ケース４の長手方向両端部の外周には基板押え部材５が直管ケース４の長手方向に沿って移動可能に嵌合保持されている。
【００１５】
上記直管ケース４は、押出成形によって図４に示すように非円筒状に成形されており、その内周の相対向する位置には係合部４ａが長手方向（図４の紙面垂直方向）に沿って形成されている。そして、直管ケース４内に挿入された前記基板３の幅方向両端部が直管パイプ４の一対の係合部４ａに係合することによって、該基板３が直管ケース４の内部に図示のように保持される。そして、図１に示すように、直管型ＬＥＤランプ１は、直管ケース４の長手方向中間部の外周に嵌合保持されたホルダ６によって不図示の天井壁や壁面等に固定されている。
【００１６】
ところで、前記各基板押え部材５は、図５〜図７に示すように（図５〜図７には一方のみ図示）、樹脂によって直管ケース４の外周形状に沿うようチャンネル状に一体成形されており、その長手方向一端には舌片状のストッパ５Ａが一体に形成されている。そして、このストッパ５Ａには、前記基板３の長手方向一端から延びる不図示のハーネスが通過するための切欠孔５ａが形成されている。又、図７に示すように、基板押え部材５の内周面の相対向する箇所にはリブ５ｂが一体に突設されている。
【００１７】
他方、図６及び図７に示すように、直管ケース４の長手方向端部外周の相対向する２箇所には矩形の係合溝４ｂが形成されており、各係合溝４ｂの幅は各基板押え部材５の内周面に突設された前記リブ５ｂの幅よりも広く設定されている（図３参照）。
【００１８】
而して、各基板押え部材５は、図５に示すように直管ケース４の長手方向端部の外周に嵌合保持されるが、その内周面に突設された一対のリブ５ｂは図３に示すように直管ケース４の長手方向端部外周に形成された一対の各係合溝４ｂに係合している。このとき、前述のように直管ケース４に形成された係合溝４ｂの幅は基板押え部材５に突設されたリブ５ｂの幅よりも大きく設定されているため、基板押え部材５は、これに突設されたリブ５ｂが直管ケース４の係合溝４ｂ内で移動し得る範囲で直管ケース４に対してその長手方向に相対移動することができる。ここで、図３に示すように、直管型ＬＥＤランプ１の組立時においては、各基板押え部材５のストッパ５Ａと基板３の長手方向端部との間には隙間δ１が形成され、直管ケース４の係合溝４ｂと基板押え部材５のリブ５ｂとの間には隙間δ２とδ３が形成されている。尚、隙間δ１は直管ケース４の収縮の吸収代であり、隙間δ２は直管ケース４の膨張の吸収代である。
【００１９】
以上のように構成された直管型ＬＥＤランプ１において、不図示のハーネスから基板３上の不図示の複数のＬＥＤに電流が供給されると、これらのＬＥＤが起動されて発光し、その光は透明な直管ケース４を透過して出射することによって周囲を照明する。
【００２０】
而して、本実施の形態に係る直管型ＬＥＤランプ１においては、基板押え部材５はこれに突設されたリブ５ｂが直管ケース４の長手方向端部外周に形成された係合溝４ｂ内で移動し得る範囲で直管ケース４に対して長手方向に移動可能であるため、例えば直管ケース４が収縮して図３に示す隙間δ１が０となって基板３が基板押え部材５のストッパ５Ａに当接した後は、直管ケース４の熱収縮は、基板押え部材５の直管ケース４に対する相対移動によって図３に示す隙間δ２の範囲で吸収され、基板３に熱による応力が掛かることがない。このように直管ケース４の熱収縮は基板押え部材５の相対移動によって吸収されるため、従来のように基板押え部材５と基板３との間に大きな隙間を設けたり、直管ケース４を必要以上に長くする必要がなく、熱による基板３への応力の負荷を抑えつつ、直管ケース４の全長を短縮することができる。尚、直管ケース４が膨張した場合には、該直管ケース４の熱膨張は、基板押え部材５の直管ケース４に対する相対移動によって図３に示す隙間δ３の範囲で吸収され、基板３に熱による応力が掛かることがない。
【００２１】
又、本実施の形態では、直管ケース４を非円筒とし、該直管ケース４の内周の相対向する位置に形成されて係合部４ａに基板３の幅方向両端部を係合させることによって該基板３を直管ケース４に保持させるようにしたため、専用の保持部材を要することなく、基板３を直管ケース４内に保持することができ、部品点数を削減して当該直管型ＬＥＤランプ１の軽量化とコストダウンを図ることができる。
【符号の説明】
【００２２】
１          直管型ＬＥＤランプ
３          基板
４          直管ケース
４ａ        直管ケースの係合部
４ｂ        直管ケースの係合溝
５          基板押え部材
５Ａ        基板押え部材のストッパ
５ａ        基板押え部材の切欠き孔
５ｂ        基板押え部材のリブ
６          ホルダ
δ１〜δ３  隙間
【図１】
2014137983.tif 000003
【図２】
2014137983.tif 000004
【図３】
2014137983.tif 000005
【図４】
2014137983.tif 000006
【図５】
2014137983.tif 000007
【図６】
2014137983.tif 000008
【図７】
2014137983.tif 000009
【図８】
2014137983.tif 000010